(57)【要約】携帯端末（１）では、メッセージ作成部（１３）における送信メッセージの作成が完了すると、位置情報付加部（１２）は位置測位部（１１）を用いて位置測位を開始し、携帯端末（１）の現在位置の情報を取得する。位置情報付加部（１２）は位置測位部（１１）によって取得された位置情報をメッセージに付加し、メッセージ送信部（１４）から位置指定メッセージサーバ（２）に送信する。位置指定メッセージサーバ（２）は携帯端末（３）から送られてくる位置情報と、携帯端末（１）から送信されたメッセージに付加されていた位置情報とが一致すると、携帯端末（３）に対して直ちにメッセージを送信する。
2004004402.tif 000002
【特許請求の範囲】
【請求項１】
メッセージを送信しようとする宛先と当該メッセージを受信すべき位置とを入力する手段と、
入力された前記位置を示す位置情報を前記メッセージに付加する手段と、を有する端末装置。
【請求項２】
現在の位置情報を測位する位置測位手段をさらに有し、
前記付加部は、前記位置測位手段により測位された位置情報を、当該メッセージを受信すべき位置の位置情報として前記メッセージに付加する請求項１記載の端末装置。
【請求項３】
サーバ装置からの位置要求を受けて位置測位を行う位置測位手段と、
前記位置測位手段により測位された位置情報を前記サーバ装置に送信する位置情報送信手段とを有する端末装置。
【請求項４】
送信元の端末装置から送信されたメッセージを送信先の端末装置に配送するためのサーバ装置であって、
送信元の端末装置から送信されたメッセージを受信すると、受信された該メッセージを蓄積するメッセージ蓄積手段と、
前記メッセージ蓄積手段において蓄積されているメッセージからから宛先アドレスおよび位置情報を抽出し、該宛先アドレスにより示された送信先端末装置に対して位置要求を行う位置要求手段と、
前記位置要求に応答して送信されてきた前記送信先の端末装置からの位置情報と、前記メッセージに付加された位置情報が一致した場合に、当該メッセージを前記送信先の端末装置に送信するメッセージ管理手段と、を有するサーバ装置。
【請求項５】
送信元の端末装置から送信されたメッセージを送信先の端末装置に配送するためのサーバ装置であって、
メッセージを蓄積するためのメッセージ蓄積手段と、
送信元の端末装置から送信されたメッセージを受信すると受信された該メッセージの送信元の端末装置に対して位置要求を行うとともに、前記メッセージ蓄積手段において蓄積されているメッセージからから宛先アドレスおよび位置情報を抽出し、該宛先アドレスの送信先端末装置に対して位置要求を行う位置要求手段と、
前記送信元の端末装置への位置要求に応答して送信されてきた前記送信元の端末装置の位置情報を、当該メッセージを受信すべき位置の位置情報として前記メッセージに付加して前記メッセージ蓄積手段に格納する付加手段と、
前記送信先の端末装置への位置要求に応答して送信されてきた前記送信先の端末装置の位置情報と、前記メッセージに付加された位置情報が一致した場合に、当該メッセージを前記送信先の端末装置に送信するメッセージ管理手段と、を有するサーバ装置。
【請求項６】
送信元の端末装置から送信されたメッセージを送信先の端末装置に配送するためのメッセージ送受信システムであって、
メッセージの宛先と当該メッセージを受信すべき位置とを入力する手段と、入力された前記位置を示す位置情報を前記メッセージに付加する付加手段を有する送信元の端末装置と、
前記送信元の端末装置から送信されたメッセージを受信すると、受信された該メッセージを蓄積するメッセージ蓄積手段と、前記メッセージ蓄積手段において蓄積されているメッセージからから宛先アドレスおよび位置情報を抽出し、該宛先アドレスにより示された送信先の端末装置に対して位置要求を行う位置要求手段と、前記位置要求に応答して送信されてきた前記送信先の端末装置からの位置情報と、前記メッセージに付加された位置情報が一致した場合に、当該メッセージを前記送信先の端末装置に送信するメッセージ管理手段とを有するサーバ装置と、
前記サーバ装置からの位置要求を受けて位置測定を行う第１の位置測位手段と、前記第１の位置測位手段により測位された位置情報を前記サーバ装置に送信する位置情報送信手段とを有する送信先の端末装置と、を備えたメッセージ送受信システム。
【請求項７】
前記送信元の端末装置が、現在の位置情報を測位する第２の位置測位手段をさらに有し、
前記付加手段が、前記第２の位置測位手段により測位された位置情報を、当該メッセージを受信すべき位置の位置情報として前記メッセージに付加する請求項６記載のメッセージ送受信システム。
【請求項８】
送信元の端末装置から送信されたメッセージを送信先の端末装置に配送するためのメッセージ送受信システムであって、
前記サーバ装置からの位置要求を受けて位置測定を行う第１の位置測位手段と、前記第１の位置測位手段により測位された位置情報を前記サーバ装置に送信する位置情報送信手段とを有する送信元の端末装置と、
メッセージを蓄積するためのメッセージ蓄積手段と、送信元の端末装置から送信されたメッセージを受信すると受信された該メッセージの送信元の端末装置に対して位置要求を行うとともに、前記メッセージ蓄積手段において蓄積されているメッセージからから宛先アドレスおよび位置情報を抽出し、該宛先アドレスの送信先端末装置に対して位置要求を行う位置要求手段と、前記送信元の端末装置への位置要求に応答して送信されてきた前記送信元の端末装置の位置情報を、当該メッセージを受信すべき位置の位置情報として前記メッセージに付加して前記メッセージ蓄積手段に格納する付加手段と、前記送信先の端末装置への位置要求に応答して送信されてきた前記送信先の端末装置の位置情報と、前記メッセージに付加された位置情報が一致した場合に、当該メッセージを前記送信先の端末装置に送信するメッセージ管理手段と、を有するサーバ装置と、
前記サーバ装置からの位置要求を受けて位置測定を行う第２の位置測位手段と、前記第２の位置測位手段により測位された位置情報を前記サーバ装置に送信する位置情報送信手段とを有する送信先の端末装置と、を備えたメッセージ送受信システム。
【請求項９】
送信元の端末装置において、メッセージを送信しようとする宛先と当該メッセージを受信すべき位置とを入力するステップと、
前記送信元の端末装置が、入力された前記位置を示す位置情報を前記メッセージに付加してから送信を行うステップとを有するメッセージ送受信方法。
【請求項１０】
前記送信元の端末装置の現在の位置情報を測位するステップをさらに有し、
位置情報を前記メッセージに付加するステップにおいて、測位された前記位置情報を、当該送信メッセージを受信すべき位置の位置情報として前記送信メッセージに付加する請求項９記載のメッセージ送受信方法。
【請求項１１】
送信先の端末装置が、サーバ装置からの位置要求を受けて位置測定を行うステップと、
前記送信先の端末装置が、測位された前記位置情報を前記サーバ装置に送信するステップとを有するメッセージ送受信方法。
【請求項１２】
送信元の端末装置から送信されたメッセージを送信先の端末装置に配送するためのメッセージ送受信方法であって、
送信元の端末装置から送信されたメッセージを受信すると、受信された該メッセージを蓄積するステップと、
蓄積されているメッセージからから宛先アドレスおよび位置情報を抽出し、該宛先アドレスの送信先端末装置に対して位置要求を行うステップと、
前記位置要求に応答して送信されてきた前記送信先端末装置からの位置情報と、前記送信メッセージに付加された位置情報が一致した場合に、当該送信メッセージを前記送信先端末装置に送信するステップと、を有するメッセージ送受信方法。
【請求項１３】
送信元の端末装置から送信されたメッセージを送信先の端末装置に配送するためのメッセージ送受信方法であって、
送信元の端末装置から送信されたメッセージを受信すると、受信された該メッセージを送信してきた送信元の端末装置に対して位置要求を行うステップと、
前記送信元の端末装置への位置要求に応答して送信されてきた前記送信元の端末装置の位置情報を、当該送信メッセージを受信すべき位置の位置情報として前記送信メッセージに付加して蓄積するステップと、
蓄積されているメッセージからから宛先アドレスおよび位置情報を抽出し、該宛先アドレスの送信先端末装置に対して位置要求を行うステップと、
前記位置要求に応答して送信されてきた前記送信先端末装置からの位置情報と、前記送信メッセージに付加された位置情報が一致した場合に、当該送信メッセージを前記送信先端末装置に送信するステップと、を有するメッセージ送受信方法。
【請求項１４】
端末装置から送信されたメッセージを送信先の端末装置に配送するためのメッセージ送受信方法であって、
送信元の端末装置が、送信メッセージの宛先と当該送信メッセージを受信すべき位置とを入力するステップと、
送信元の端末装置が、その入力された位置を示す位置情報を前記送信メッセージに付加するステップと、
サーバ装置が、送信元の端末装置から送信されたメッセージを受信すると、受信された該メッセージを蓄積するステップと、
前記サーバ装置が、蓄積されているメッセージからから宛先アドレスおよび位置情報を抽出し、該宛先アドレスの送信先端末装置に対して位置要求を行うステップと、
送信先の端末装置が、前記サーバ装置からの位置要求を受けて位置測位を行うステップと、
前記送信先の端末装置が、測位された位置情報を前記サーバ装置に送信するステップと、
前記サーバ装置が、前記位置要求に応答して送信されてきた前記送信先端末装置からの位置情報と、前記送信メッセージに付加された位置情報が一致した場合に、当該送信メッセージを前記送信先端末装置に送信するステップと、を有するメッセージ送受信方法。
【請求項１５】
前記送信元の端末装置が、現在の位置情報を測位するステップをさらに有し、
前記送信元の端末装置が、位置情報を前記メッセージに付加するステップにおいて、測位された前記位置情報を、当該メッセージを受信すべき位置の位置情報として前記メッセージに付加する請求項１４記載のメッセージ送受信方法。
【請求項１６】
端末装置から送信されたメッセージを送信先の端末装置に配送するためのメッセージ送受信方法であって、
サーバ装置が、送信元の端末装置から送信されたメッセージを受信すると、受信された該メッセージを送信してきた送信元の端末装置に対して位置要求を行うステップと、
前記送信元の端末装置が、前記サーバ装置からの位置要求を受けて位置測位を行うステップと、
前記サーバ装置が、前記送信元の端末装置への位置要求に応答して送信されてきた前記送信元の端末装置の位置情報を、当該送信メッセージを受信すべき位置の位置情報として前記送信メッセージに付加して蓄積するステップと、
前記サーバ装置が、蓄積されているメッセージからから宛先アドレスおよび位置情報を抽出し、該宛先アドレスの送信先端末装置に対して位置要求を行うステップと、
送信先の端末装置が、サーバ装置からの位置要求を受けて位置測定を行うステップと、
前記送信先の端末装置が、測位された前記位置情報を前記サーバ装置に送信するステップと、
前記サーバ装置が、前記位置要求に応答して送信されてきた前記送信先端末装置からの位置情報と、前記送信メッセージに付加された位置情報が一致した場合に、当該送信メッセージを前記送信先端末装置に送信するステップと、を有するメッセージ送受信方法。
【請求項１７】
送信元の端末装置において、メッセージを送信しようとする宛先と当該メッセージを受信すべき位置とを入力する処理と、
前記送信元の端末装置が、入力された前記位置を示す位置情報を前記メッセージに付加してから送信を行う処理とをコンピュータに実行させるためのプログラム。
【請求項１８】
前記送信元の端末装置の現在の位置情報を測位する処理と、
測位された前記位置情報を、当該送信メッセージを受信すべき位置の位置情報として前記送信メッセージに付加する処理をさらにコンピュータに実行させる請求項９記載のプログラム。
【請求項１９】
送信先の端末装置が、サーバ装置からの位置要求を受けて位置測定を行う処理と、
前記送信先の端末装置が、測位された前記位置情報を前記サーバ装置に送信する処理とをコンピュータに実行させるためのプログラム。
【請求項２０】
送信元の端末装置から送信されたメッセージを送信先の端末装置に配送するためのメッセージ送受信方法をコンピュータに実行させるためのプログラムであって、
送信元の端末装置から送信されたメッセージを受信すると、受信された該メッセージを蓄積する処理と、
蓄積されているメッセージからから宛先アドレスおよび位置情報を抽出し、該宛先アドレスの送信先端末装置に対して位置要求を行う処理と、
前記位置要求に応答して送信されてきた前記送信先端末装置からの位置情報と、前記送信メッセージに付加された位置情報が一致した場合に、当該送信メッセージを前記送信先端末装置に送信する処理とをコンピュータに実行させるためのプログラム。
【請求項２１】
送信元の端末装置から送信されたメッセージを送信先の端末装置に配送するためのメッセージ送受信方法をコンピュータに実行させるためのプログラムであって、
送信元の端末装置から送信されたメッセージを受信すると、受信された該メッセージを送信してきた送信元の端末装置に対して位置要求を行う処理と、
前記送信元の端末装置への位置要求に応答して送信されてきた前記送信元の端末装置の位置情報を、当該送信メッセージを受信すべき位置の位置情報として前記送信メッセージに付加して蓄積する処理と、
蓄積されているメッセージからから宛先アドレスおよび位置情報を抽出し、該宛先アドレスの送信先端末装置に対して位置要求を行う処理と、
前記位置要求に応答して送信されてきた前記送信先端末装置からの位置情報と、前記送信メッセージに付加された位置情報が一致した場合に、当該送信メッセージを前記送信先端末装置に送信する処理と、をコンピュータに実行させるためのプログラム。
【請求項２２】
端末装置から送信されたメッセージを送信先の端末装置に配送するためのメッセージ送受信方法をコンピュータに実行させるためのプログラムであって、
送信元の端末装置が、送信メッセージの宛先と当該送信メッセージを受信すべき位置とを入力する処理と、
送信元の端末装置が、その入力された位置を示す位置情報を前記送信メッセージに付加する処理と、
サーバ装置が、送信元の端末装置から送信されたメッセージを受信すると、受信された該メッセージを蓄積する処理と、
前記サーバ装置が、蓄積されているメッセージからから宛先アドレスおよび位置情報を抽出し、該宛先アドレスの送信先端末装置に対して位置要求を行う処理と、
送信先の端末装置が、前記サーバ装置からの位置要求を受けて位置測位を行う処理と、
前記送信先の端末装置が、測位された位置情報を前記サーバ装置に送信する処理と、
前記サーバ装置が、前記位置要求に応答して送信されてきた前記送信先端末装置からの位置情報と、前記送信メッセージに付加された位置情報が一致した場合に、当該送信メッセージを前記送信先端末装置に送信する処理とをコンピュータに実行させるためのプログラム。
【請求項２３】
前記送信元の端末装置が、現在の位置情報を測位する処理と、
前記送信元の端末装置が、測位された前記位置情報を、当該メッセージを受信すべき位置の位置情報として前記メッセージに付加する処理とをさらにコンピュータに実行させるための請求項２２記載のプログラム。
【請求項２４】
端末装置から送信されたメッセージを送信先の端末装置に配送するためのメッセージ送受信方法をコンピュータに実行させるためのプログラムであって、
サーバ装置が、送信元の端末装置から送信されたメッセージを受信すると、受信された該メッセージを送信してきた送信元の端末装置に対して位置要求を行う処理と、
前記送信元の端末装置が、前記サーバ装置からの位置要求を受けて位置測位を行う処理と、
前記サーバ装置が、前記送信元の端末装置への位置要求に応答して送信されてきた前記送信元の端末装置の位置情報を、当該送信メッセージを受信すべき位置の位置情報として前記送信メッセージに付加して蓄積する処理と、
前記サーバ装置が、蓄積されているメッセージからから宛先アドレスおよび位置情報を抽出し、該宛先アドレスの送信先端末装置に対して位置要求を行う処理と、
送信先の端末装置が、サーバ装置からの位置要求を受けて位置測定を行う処理と、
前記送信先の端末装置が、測位された前記位置情報を前記サーバ装置に送信する処理と、
前記サーバ装置が、前記位置要求に応答して送信されてきた前記送信先端末装置からの位置情報と、前記送信メッセージに付加された位置情報が一致した場合に、当該送信メッセージを前記送信先端末装置に送信する処理とをコンピュータに実行させるためのプログラム。
【発明の詳細な説明】
【技術分野】  本発明はメッセージ送受信システム、端末装置、サーバ装置及びそれらに用いるメッセージ送受信方法、プログラムに関し、特に位置情報を付加したメッセージを送信し、位置指定先で受信するシステムに関する。
【背景技術】  従来、この種のメッセージ受信装置としては、例えば、電子メールの受信を行うものがある。ここで、メッセージとはメッセージ送信装置の利用者がメッセージ受信装置の利用者に送信するデータを指し、電子メールシステムの場合には送信する電子メールを示している。
上記のようなメッセージ送受信システムの構成例を図１に示す。図１において、このメッセージ送受信システムはメッセージ送信装置１０と、メッセージ受信装置９と、メッセージ送信装置１０とメッセージ受信装置９とを接続するネットワーク３００とから構成されている。尚、単体の装置で、メッセージ送信装置１０及びメッセージ受信装置９の双方の機能を有する場合もある。
メッセージ送信装置１０はネットワーク３００を介してメッセージを送信し、メッセージ受信装置９はネットワーク３００を介して送られてきたメッセージを受信し、受信したメッセージを利用者に提供する。メッセージ受信装置９はネットワーク３００を介してメッセージ送信装置１０からのメッセージを受信するメッセージ受信部９１と、メッセージ受信部９１が受信したメッセージを利用者にユーザインタフェースとともに提供するメッセージ提供部９２とから構成されている。これによって、メッセージ受信装置９の利用者は他者がメッセージ送信装置１０を用いて作成・送信したメッセージを受信し、参照することが可能となる。
また、この種の位置指定メッセージの送信方法としては、例えば、特開２００１−２６８６２０号公報に開示されたものがある。この位置指定メッセージの送信方法では、サーバが端末装置の現在位置を取得する際にその取得要求を端末装置に送り、端末装置においてサーバからの取得要求に応答してナビゲーション装置から測位情報を取得し、電子メールに位置情報を挿入してサーバに送信することで、位置指定メッセージの送信機能を実現している。
上述した従来のメッセージ送受信システムでは、メッセージ受信装置９でメッセージが受信されると、そのメッセージをメッセージ提供部９２によって直ちに利用者に提供している。そのため、メッセージの送信者が特定の場所においてのみ有効な内容のメッセージを送信したとしても、受信者がその場所に存在するか否かに関わらず、そのメッセージが提供されてしまう。
したがって、従来のメッセージ送受信システムでは、特定の場所においてのみ有効な内容のメッセージを送信するために、送信者が受信者の現在位置を調べ、受信者が特定の場所にいることを確認した上でメッセージを送信する必要がある。しかし、送信者が常に受信者の現在位置を知ることができるとは限らず、受信者の現在位置がわからない場合には特定の場所においてのみ有効なメッセージを的確に送信することは困難である。
また、上述した従来の位置指定メッセージの受信システムでは、受信位置が指定されたメッセージを受信する際に、そのメッセージを携帯端末の利用者から送信することができないという問題がある。
さらに、従来の位置指定メッセージの送信方法では、自己位置を通知するために、現在の位置を測位してメッセージに付加して送信可能としているが、単にサーバに自端末の現在位置を通知するだけなので、これによってメッセージの受信位置を指定することはできない。
【発明の開示】
そこで、本発明の目的は上記の問題点を解消し、受信位置が指定されたメッセージを受信する際に自端末を含む装置からそのメッセージを送信することができ、メッセージの受信位置を指定することができるメッセージ送受信システム、端末装置、サーバ装置及びそれらに用いるメッセージ送受信方法、プログラムを提供することにある。
本発明によるメッセージ送受信システムは、送信元の端末装置から送信されたメッセージを送信先の端末装置に配送するためのメッセージ送受信システムであって、
メッセージの宛先と当該メッセージを受信すべき位置とを入力する手段と、入力された前記位置を示す位置情報を前記メッセージに付加する付加手段を有する送信元の端末装置と、
前記送信元の端末装置から送信されたメッセージを受信すると、受信された該メッセージを蓄積するメッセージ蓄積手段と、前記メッセージ蓄積手段において蓄積されているメッセージからから宛先アドレスおよび位置情報を抽出し、該宛先アドレスにより示された送信先の端末装置に対して位置要求を行う位置要求手段と、前記位置要求に応答して送信されてきた前記送信先の端末装置からの位置情報と、前記メッセージに付加された位置情報が一致した場合に、当該メッセージを前記送信先の端末装置に送信するメッセージ管理手段とを有するサーバ装置と、
前記サーバ装置からの位置要求を受けて位置測定を行う第１の位置測位手段と、前記第１の位置測位手段により測位された位置情報を前記サーバ装置に送信する位置情報送信手段とを有する送信先の端末装置とを備えている。
本発明のメッセージ送受信システムによれば、位置測位手段を保有する送信元の端末装置においてメッセージを送信する際に、そのメッセージの宛先アドレスとともにそのメッセージを受信すべき位置を示す位置情報を付加する。サーバ装置では、そのメッセージを受信すると、メッセージに含まれる位置情報と宛先アドレスを抽出し、その宛先アドレスの携帯端末の位置取得要求を行い、送信先の携帯端末が指定された位置に存在することを確認してからメッセージの送信を行うようにしている。従って、送信先の端末装置がメッセージを受信する位置を送信元の端末装置において指定する事が可能となる。
また、前記送信元の端末装置が、現在の位置情報を測位する第２の位置測位手段をさらに有し、前記付加手段は、前記第２の位置測位手段により測位された位置情報を、当該メッセージを受信すべき位置の位置情報として前記メッセージに付加するようにしてもよい。
本発明では、メッセージ送信時にその場で位置測位を行い、その位置情報を送信するメッセージに自動的に付加することが可能となるので、メッセージを受信する位置をそのメッセージを送信した位置に設定することが可能となる。
また、本発明の他のメッセージ送受信システムは、送信元の端末装置から送信されたメッセージを送信先の端末装置に配送するためのメッセージ送受信システムであって、
前記サーバ装置からの位置要求を受けて位置測定を行う第１の位置測位手段と、前記第１の位置測位手段により測位された位置情報を前記サーバ装置に送信する位置情報送信手段とを有する送信元の端末装置と、
メッセージを蓄積するためのメッセージ蓄積手段と、送信元の端末装置から送信されたメッセージを受信すると受信された該メッセージの送信元の端末装置に対して位置要求を行うとともに、前記メッセージ蓄積手段において蓄積されているメッセージからから宛先アドレスおよび位置情報を抽出し、該宛先アドレスの送信先端末装置に対して位置要求を行う位置要求手段と、前記送信元の端末装置への位置要求に応答して送信されてきた前記送信元の端末装置の位置情報を、当該メッセージを受信すべき位置の位置情報として前記メッセージに付加して前記メッセージ蓄積手段に格納する付加手段と、前記送信先の端末装置への位置要求に応答して送信されてきた前記送信先の端末装置の位置情報と、前記メッセージに付加された位置情報が一致した場合に、当該メッセージを前記送信先の端末装置に送信するメッセージ管理手段と、を有するサーバ装置と、
前記サーバ装置からの位置要求を受けて位置測定を行う第２の位置測位手段と、前記第２の位置測位手段により測位された位置情報を前記サーバ装置に送信する位置情報送信手段とを有する送信先の端末装置とを備えている。
本発明によれば、メッセージを受信したサーバ装置が送信元の端末装置の位置の取得要求を行い、メッセージにその位置情報を付加しているので、メッセージを受信する位置を現位置に指定する場合、メッセージに位置情報を付加して送信することなく、設定を行うことが可能となる。
【図面の簡単な説明】  図１は、従来例によるメッセージ送受信システムの構成を示すブロック図である。
図２は、本発明の第１の実施形態によるメッセージ送受信システムの構成を示すブロック図である。
図３は、本発明の第１の実施形態によるメッセージ送受信システムの具体的なシステム構成例を示すブロック図である。
図４は、本発明の第１の実施形態による位置指定メッセージの送信手順を示すフローチャートである。
図５は、本発明の第１の実施形態による位置指定メッセージ例を示す図である。
図６は、本発明の第１の実施形態による位置情報付加手順を示す図である。
図７（ａ）は図２のメッセージ蓄積部内に配設されるメッセージ管理テーブルの一例を示す図、図７（ｂ）は図２のメッセージ蓄積部内に配設されるメッセージ管理テーブルの他の例を示す図、図７（ｃ）はメッセージファイルの一例を示す図である。
図８は、本発明の第１の実施形態による位置指定メッセージサーバの動作を示すフローチャートである。
図９は、本発明の第２の実施形態によるメッセージ送受信システムの構成を示すブロック図である。
図１０は、本発明の第２の実施形態によるメッセージ送受信システムの具体的なシステム構成例を示すブロック図である。
図１１は、本発明の第２の実施形態による位置指定メッセージの送信手順を示すフローチャートである。
図１２は、本発明の第３の実施形態によるメッセージ送受信システムの構成を示すブロック図である。
図１３は、本発明の第３の実施形態によるメッセージ送受信システムの具体的なシステム構成例を示すブロック図である。
図１４は、本発明の第３の実施形態による位置指定メッセージの送信手順を示すフローチャートである。
図１５は、本発明の第３の実施形態による位置指定メッセージサーバの動作を示すフローチャートである。
図１６は、本発明の第４の実施形態によるメッセージ送受信システムの構成を示すブロック図である。
図１７（ａ）は本発明の第４の実施形態によるメッセージ振り分けリストの一例を示す図、図１７（ｂ）は本発明の第４の実施形態によるメッセージ管理テーブルの一例を示す図である。
図１８は、本発明の第４の実施形態によるメッセージ振り分けリストの登録手順を示すフローチャートである。
図１９は、本発明の第４の実施形態による位置指定メッセージの送信手順を示すフローチャートである。
図２０は、本発明の第４の実施形態による位置指定メッセージサーバの動作を示すフローチャートである。
図２１は、本発明の第５の実施形態によるメッセージ送受信システムの構成を示すブロック図である。
図２２は、本発明の第５の実施形態による位置指定メッセージの送信手順を示すフローチャートである。
図２３は、本発明の第５の実施形態による位置指定メッセージサーバの動作を示すフローチャートである。
図２４は、本発明の第６の実施形態によるメッセージ送受信システムの構成を示すブロック図である。
図２５は、本発明の第６の実施形態による位置指定メッセージサーバの動作を示すフローチャートである。
【発明を実施するための最良な形態】
次に、本発明の実施形態について図面を参照して説明する。
（第１の実施形態）
図２は本発明の第１の実施形態によるメッセージ送受信システムの構成を示すブロック図である。図２において、本発明の第１の実施形態によるメッセージ送受信システムは送付先位置が指定されたメッセージの送受信を行うシステムである。
本発明の第１の実施形態によるメッセージ送受信システムは携帯端末１と、携帯端末３と、携帯端末１と携帯端末３との間でメッセージの送受信処理を行う位置指定メッセージサーバ２とを無線通信ネットワークによって接続して構成されている。
携帯端末１は端末上でメッセージの作成を行うメッセージ作成部１３と、作成されたメッセージに対して現在の位置情報を付加する機能と、その他の位置情報を付加するかどうかの確認を行う機能と、選択通りに位置情報を付加する機能とを含む位置情報付加部１２と、位置情報付加部１２から現在位置の測位要求を受ける位置測位部１１と、メッセージ作成部１３で作成されたメッセージと位置情報付加部１２で位置情報が付加されたメッセージとを保持するメモリ１５と、メモリ１５に保持されたメッセージを位置指定メッセージサーバ２に送信するメッセージ送信部１４と、携帯端末１の処理を実現するコンピュータ（図示せず）上で動作するプログラムを記録する記録媒体１６とから構成されている。
位置指定メッセージサーバ２は、メッセージ管理部２１と、位置要求部２２と、メッセージ蓄積部２３とから構成され、また記録媒体２４が接続されていいる。
メッセージ管理部２１は、携帯端末１から送信されたメッセージを受信してメッセージから宛先を抽出する機能と、携帯端末３にメッセージを送信する機能とを備える。位置要求部２２は、メッセージの送り先である携帯端末３に位置要求を行う。メッセージ蓄積部２３は、携帯端末１から送信されたメッセージをメッセージの送り先である携帯端末３が指定された位置に移動するまで当該メッセージを蓄積する。
記録媒体２４と位置指定メッセージサーバ２の処理を実現するコンピュータ（図示せず）上で動作するプログラムを記録する。
携帯端末３は、位置測位部３１と、位置情報送信部３２と、メッセージ受信部３３と、メモリ３４とから構成されている。
位置測位部３１は、位置指定メッセージサーバ２から現在の位置情報の要求を受けて位置測位を行う。位置情報送信部３２は、位置指定メッセージサーバ２に位置測位部３１からの位置情報を送信する。メッセージ受信部３３は、位置指定メッセージサーバ２から送られてくるメッセージを受信する。メモリ３４は、メッセージ受信部３３で受信したメッセージを保持する。
図３は本発明の第１の実施形態によるメッセージ送受信システムの具体的なシステム構成例を示すブロック図である。図３において、携帯端末１及び携帯端末３はそれぞれ基地局Ｄ１，Ｄ２が管理するサービスエリア（セル）Ｅ１，Ｅ２内で通信可能状態にあり、位置指定メッセージサーバ２はネットワーク１００と基地局制御装置Ｃ１，Ｃ２と基地局Ｄ１，Ｄ２とを介して携帯端末１及び携帯端末３に接続可能となっている。携帯端末１及び携帯端末３は基地局Ｄ１，Ｄ２を介してネットワーク１００と接続可能としているが、無線による中継装置や有線による中継装置を介してネットワーク１００と接続可能としてもよい。
ここで、基地局Ｄ１，Ｄ２各々は自サービスエリアＥ１，Ｅ２内の携帯端末１及び携帯端末３からの位置登録要求を、基地局Ｄ１，Ｄ２各々を管理する基地局制御装置Ｃ１，Ｃ２に送る。基地局制御装置Ｃ１，Ｃ２は位置登録要求を基に携帯端末１及び携帯端末３各々の位置情報を管理し、その位置情報を基に他の基地局（図示せず）からの着呼や図示せぬ公衆網からの着呼を宛先の携帯端末１及び携帯端末３の所在する基地局Ｄ１，Ｄ２に転送する。
すなわち、基地局制御装置Ｃ１，Ｃ２各々は携帯端末１及び携帯端末３各々の位置（携帯端末１及び携帯端末３各々が所在する基地局Ｄ１，Ｄ２各々のサービスエリアＥ１，Ｅ２）を常に知ることが可能となっている。
これら図２及び図３を参照して本発明の第１の実施形態によるメッセージ送受信システムの動作について説明する。携帯端末１はメッセージ作成部１３で送信用メッセージの作成を行う。この時点で作成されるメッセージは、一般の携帯電話等で作成される電子メールやインスタントメッセージ（ＩＭ：Ｉｎｓｔａｎｔ  Ｍｅｓｓａｇｅ）、ショートメッセージ等があるが、通信用メッセージとして送信することができるものであれば、その形態に制限はない。
携帯端末１においてメッセージ作成が完了すると、位置情報付加部１２は位置測位部１１を用いて位置測位を開始し、携帯端末１の現在位置の情報を取得する。位置測位部１１は人工衛星４を用いて位置情報を測位するＧＰＳ（Ｇｌｏｂａｌ  Ｐｏｓｉｔｉｏｎｉｎｇ  Ｓｙｓｔｅｍ）測位方式や、基地局を利用したセルＩＤ方式があるが、携帯端末１の現在位置を測位することができるものであれば、その方法に制限はない。
位置情報付加部１２は位置測位部１１によって取得した位置情報、図示せぬ入力手段から入力された位置情報を、メッセージ作成部１３で作成されたメッセージに付加する。この位置情報が付加されたメッセージは、携帯端末１のメッセージ送信部１４によって位置指定メッセージサーバ２に送信される。
位置指定メッセージサーバ２のメッセージ管理部２１は携帯端末１から位置情報が付加されたメッセージを受信すると、そのメッセージから宛先アドレス及び位置情報を抜出して位置要求部２２に渡すとともに、そのメッセージを位置情報とともにメッセージ蓄積部２３に蓄積する。
位置要求部２２はメッセージの宛先アドレスで指定されている携帯端末３に対して現在位置を要求する。位置要求部２２による現在位置の要求はメッセージを受信してから予め設定された所定時間が経過した場合、あるいはメッセージの位置情報が基地局Ｄ２のサービスエリアＥ２内を示していれば、基地局制御装置Ｃ２への問合せの結果、携帯端末３が基地局Ｄ２のサービスエリアＥ２内に所在することが確認された場合に行われる。
上記以外にも、現在位置の要求は予め指定された時刻に行ったり、携帯端末３がある指定された領域（例えば、基地局Ｄ１，Ｄ２各々のサービスエリアＥ１，Ｅ２）外となった時に行ったり、携帯端末３が電源断または圏外となってから所定時間後に行ったりと様々なバリエーションがあるが、それらの場合にも本実施形態は適用される。
携帯端末３の位置情報送信部３２は位置指定メッセージサーバ２からの要求を受けると、位置測位部３１によって位置測位を開始し、位置測位部３１で置情報が取得されると、その位置情報を位置指定メッセージサーバ２に送信する。その後、位置指定メッセージサーバ２から携帯端末３への現在位置の要求は定期的に行われる。
位置指定メッセージサーバ２のメッセージ管理部２１は携帯端末３から送られてくる位置情報と、携帯端末１から送信されたメッセージに付加されていた位置情報とが一致し、携帯端末３が指定された位置に到着したことを確認すると、携帯端末３に対して直ちにメッセージ蓄積部２３内のメッセージを送信する。携帯端末３は位置指定メッセージサーバ２からのメッセージをメッセージ受信部３３によって取得する。
これによって、携帯端末３が指定された位置に到着すると、携帯端末１において送信時に位置情報が付加されたメッセージが、位置指定メッセージサーバ２からネットワーク１００と基地局制御装置Ｃ２と基地局Ｄ２とを介して携帯端末３に送信されるので、メッセージの受信位置を指定することができる。
しかしながら、メッセージ受信者が指定された場所に行かないということも想定され、その場合にはメッセージが位置指定メッセージサーバ２のメッセージ蓄積部２３に保存されたままになってしまうという問題が発生し、メッセージ蓄積部２３の容量が逼迫するという現象が発生してしまう。そこで、メッセージ受信者が指定位置に到着せず、メッセージが送信されない場合の位置指定メッセージサーバ２の動作について以下説明する。
位置指定メッセージサーバ２は位置情報が付加されたメッセージを受信し、送信先として指定された携帯端末３が指定された位置に到着するまで、携帯端末３の所在位置の要求を定期的に行う。この所在位置の要求はメッセージの送信者や位置指定メッセージサーバ２の管理者によって要求の制限時間を設定することができる。
この制限時間内で、メッセージ受信者が指定された位置に行かなかった場合、そのメッセージは位置指定メッセージサーバ２の管理者の決定した手段、または送信者の決定した手段によって処理される。
このメッセージの処理方法としては、例えば、制限時間が過ぎた時点でメッセージを送信者に返送し、受信者が受取ることができなかった旨をメッセージで送信するという方法、メッセージを受信者に送信し、このメッセージはある指定位置で受信されるよう指定されていたという旨をメッセージで送信するという方法、メッセージを廃棄するという方法等が考えられる。
または、上記のメッセージの処理方法としては、送信者がメッセージを送信する時に、ある期間で受信者が到着しなかった場合にメッセージを廃棄し、送信者に送信できなかった旨をメッセージで送信する方法、受信者にメッセージを送信し、位置指定されていたという旨をメッセージで送信する方法、メッセージを廃棄する方法の中から選択を行う等といった方法が考えられる。
上記の方法のうちのいずれか、または組合せを採用することで、長期間、位置指定メッセージサーバ２のメッセージ蓄積部２３にメッセージが保存されたままになってしまうという問題を回避することができる。
図４は本発明の第１の実施形態による位置指定メッセージ例を示す図である。図３において、位置情報付加メッセージ１０１は送信元アドレス「Ｆｒｏｍ：○○○＠○○○．○○○」、宛先アドレス「ＴＯ：×××＠×××．×××」、日付「Ｄａｔｅ：Ｍｏｎ．２５．Ｍａｒ  ２００２  １０：３０：１５  ＋０９００」、位置情報「Ｓｅｔ  ｌｏｃ：Ｅ１３９．３５．２５．２４９  Ｎ３５．３５．２６．４３７」、題名「Ｓｕｂｊｅｃｔ：Ｉｎｆｏ」、内容「お買い物よろしくね」からなる。
位置情報付加メッセージ１０２は送信元アドレス「Ｆｒｏｍ：○○○＠○○○．○○○」、宛先アドレス「ＴＯ：×××＠×××．×××」、日付「Ｄａｔｅ：Ｍｏｎ．２５．Ｍａｒ  ２００２  １０：３０：１５  ＋０９００」、位置情報（郵便番号で示す住所）「Ｓｅｔ  ｌｏｃ：Ｔ２１６−８５５５＆４」、題名「Ｓｕｂｊｅｃｔ：Ｉｎｆｏ」、内容「そこで待ってて！」からなる。
位置情報付加メッセージ１０３は送信元アドレス「Ｆｒｏｍ：○○○＠○○○．○○○」、宛先アドレス「ＴＯ：×××＠×××．×××」、日付「Ｄａｔｅ：Ｍｏｎ．２５．Ｍａｒ  ２００２  １０：３０：１５  ＋０９００」、位置情報「Ｓｅｔ  ｌｏｃ：Ｌａｎｄｍａｒｋ  Ｔｏｗｅｒ」、題名「Ｓｕｂｊｅｃｔ：Ｉｎｆｏ」、内容「どう？  そこ寒い？」からなる。
上記のように、位置情報付加メッセージ１０１はＧＰＳで得た緯度経度の情報を位置情報として記載した例であり、位置情報付加メッセージ１０２は住所（郵便番号等）を位置情報として記載した例であり、位置情報付加メッセージ１０３は予め緯度経度が判明している建物等のランドマーク（Ｌａｎｄｍａｒｋ）を位置情報として記載した例である。上記の位置情報付加メッセージ１０２及び位置情報付加メッセージ１０３の位置情報である住所やランドマークは、位置情報の比較の際に緯度経度の情報に変換されて使用される。
図５は本発明の第１の実施形態による位置指定メッセージの送信手順を示すフローチャートであり、図６は本発明の第１の実施形態による位置情報付加手順を示す図である。これら図２〜図６を参照して位置指定メッセージの作成及び送信の動について説明する。尚、図５及び図６に示す処理は携帯端末１のコンピュータが記録媒体１６のプログラムを実行することで実現される。
位置測位機能を保有する携帯端末１はメッセージ作成部１３によって位置メッセージの作成を開始し、メッセージ入力が完了し、当該メッセージがメモリ１５に記憶されると（図５ステップＳ１）、使用者に位置情報付加手段確認を行い、自動的に現在位置をメッセージに付加するか、または手動にて位置情報をメッセージに付加するかの選択を促す（図５ステップＳ２）。
自動的に位置情報を付加する場合、位置情報付加部１２は位置測位部１１に対して現位置測位の開始を要求する（図５ステップＳ３）。位置測位部１１で位置測位が終了すると、位置情報付加部１２は位置測位部１１から位置情報を取得し、メモリ１５に記憶されたメッセージに位置情報を付加する（図５ステップＳ４）。位置情報が付加されたメッセージ（図４の１０１参照）は、メッセージ送信部１４によってメッセージ送信が行われ、位置指定メッセージサーバ２に送られる（図５ステップＳ５）。
また、手動にて送信位置情報を指定する場合、位置情報付加部１２は使用者からの手入力による指定で位置情報を取得するため、指定位置の入力の作業を開始する（図５ステップＳ６）。
送信位置指定は大まかな内容から詳細を絞りこむ階層表示によって設定する。つまり、図６に示すように、住所から絞込みを行い、メッセージに付加する時に郵便番号に変換する方法やランドマークで絞込みを行う方法を個別に、または組合せて採用してもよい。
例えば、図６に示す絞込みの方法ではこれらの組合せを採用しており、まず、メッセージ送信位置指定方法を住所からの指定とランドマークからの指定との中から選択させる（図６ステップＳ１１）。
住所からの指定が選択された場合には、県名の選択（図６ステップＳ１２）、市名の選択（図６ステップＳ１３）、区名の選択（図６ステップＳ１４）、番地の選択（図６ステップＳ１５）と順次選択させてメッセージに付加する時に郵便番号に変換することになる。
これに対し、ランドマークからの指定が選択された場合には、県名の選択（図５ステップＳ１６）、市名の選択（図６ステップＳ１７）、ランドマークのポイントの選択（図６ステップＳ１８）と順次選択させていくことになる。
上記のようにして絞込みを行って送信位置が決定すると、位置情報付加部１２はメッセージに位置情報を付加し（住所からの指定の場合には図４の１０２、ランドマークからの指定の場合には図４の１０３を参照）（図５ステップＳ７）、メッセージ送信部１４によってメッセージを位置指定メッセージサーバ２に送信する（図５ステップＳ５）。
図７（ａ）は図２のメッセージ蓄積部２３内に配設されるメッセージ管理テーブルの一例を示す図であり、図７（ｂ）は図２のメッセージ蓄積部２３内に配設されるメッセージ管理テーブルの他の例を示す図であり、図７（ｃ）はメッセージファイルの一例を示す図である。
図７（ａ）において、メッセージ管理テーブルは宛先アドレス（Ｔｏ）「ｙａｍａｄａ＠ａａａ．ａａａ．ａａａ」，「ｓａｔｏ＠ｂｂｂ．ｂｂｂ．ｂｂｂ」，「ｋａｔｏ＠ｃｃｃ．ｃｃｃ．ｃｃｃ」と、送信元アドレス（Ｆｒｏｍ）「ａｂｅ＠ｄｄｄ．ｄｄｄ．ｄｄｄ」，「ｉｔｏ＠ｅｅｅ．ｅｅｅ．ｅｅｅ」，「ｅｄａ＠ｆｆｆ．ｆｆｆ．ｆｆｆ」と、日付（Ｄａｔｅ）「Ｍｏｎ．２５．Ｍａｒ  ２００２  １０：３０：１５  ＋０９００」，「Ｍｏｎ．２５．Ｍａｒ  ２００２  １０：３５：１２  ＋０９００」，「Ｍｏｎ．２５．Ｍａｒ  ２００２  １０：３８：１８  ＋０９００」と、送信位置，有効範囲「Ｎ３５．３５．２６．４７  Ｅ１３９．３５．２５．２４，２００ｍ」，「Ｔ２１６−８５５５＆４，５０ｍ」，「Ｌａｎｄｍａｒｋ  Ｔｏｗｅｒ，１００ｍ」と、題名（Ｔｉｔｌｅ）「Ｉｎｆｏ」、メール内容「お買い物よろしくね」，「そこで待ってて！」，「どう？  そこ寒い？」とから構成されている。ここで、有効範囲は指定された位置からどの範囲内かを指定するものであり、上記の場合、それぞれ「２００ｍ」，「５０ｍ」，「１００ｍ」である。有効範囲が指定された場合には、メッセージの宛先の携帯端末（Ｂ）がその有効範囲に入った時に位置指定メッセージサーバからメッセージが送信される。但し、有効範囲は指定しても、指定しなくともよく、その用途に応じて使い分ければよい。
図７（ｂ）において、メッセージ管理テーブルは図７（ｃ）に示す形態でメッセージファイルが別に保存されている。すなわち、メッセージ管理テーブルは宛先アドレス（Ｔｏ）「ｙａｍａｄａ＠ａａａ．ａａａ．ａａａ」，「ｓａｔｏ＠ｂｂｂ．ｂｂｂ．ｂｂｂ」，「ｋａｔｏ＠ｃｃｃ．ｃｃｃ．ｃｃｃ」と、送信位置，有効範囲「Ｎ３５．３５．２６．４７  Ｅ１３９．３５．２５．２４，２００ｍ」，「Ｔ２１６−８５５５＆４，５０ｍ」，「Ｌａｎｄｍａｒｋ  Ｔｏｗｅｒ，１００ｍ」と、日付（Ｄａｔｅ）「Ｍｏｎ．２５．Ｍａｒ  ２００２  １０：３０：１５  ＋０９００」，「Ｍｏｎ．２５．Ｍａｒ  ２００２  １０：３５：１２  ＋０９００」，「Ｍｏｎ．２５．Ｍａｒ  ２００２  １０：３８：１８  ＋０９００」と、メッセージ本体とから構成され、メッセージ本体には図７（ｃ）に示すファイル名「ｆｉｌｅ２００２Ｍａｒ２５１０３０１５＿１．ｍａｉｌ」，「ｆｉｌｅ２００２Ｍａｒ２５１０３５１２＿１．ｍａｉｌ」，「ｆｉｌｅ２００２Ｍａｒ２５１０３８１８＿１．ｍａｉｌ」が格納されている。
図８は本発明の第１の実施形態による位置指定メッセージサーバ２の動作を示すフローチャートである。これら図２と図３と図８とを参照して位置指定メッセージサーバ２の動作について説明する。尚、図８に示す処理は位置指定メッセージサーバ２のコンピュータが記録媒体２４のプログラムを実行することで実現される。
位置指定メッセージサーバ２のメッセージ管理部２１は携帯端末１から位置情報が付加されたメッセージを受信すると、そのメッセージから宛先アドレス及び位置情報を抜出して位置要求部２２に渡すとともに（図８ステップＳ２１）、そのメッセージを位置情報とともにメッセージ蓄積部２３に蓄積する（図８ステップＳ２２）。
位置要求部２２は基地局制御装置Ｃ１，Ｃ２に対して宛先の携帯端末３の所在エリアの問い合わせを行う（図８ステップＳ２３）。そして、上記の位置情報を含むサービスエリアである基地局Ｄ２のサービスエリアＥ２内に宛先の携帯端末３が存在することが基地局制御装置Ｃ２から通知されると（図８ステップＳ２４）、宛先の携帯端末３に対してその現在位置を要求する（図７ステップＳ２５）。また、携帯端末３に対する現在位置の要求は、基地局制御装置Ｃ１，Ｃ２に対して問い合わせを行わずに、メッセージを受信してから予め設定された所定時間が経過した場合に送信してもよい。
携帯端末３の位置情報送信部３２は位置指定メッセージサーバ２からの要求を受けると、位置測位部３１によって位置測位を開始し、位置測位部３１で位置情報が取得されると、その位置情報を位置指定メッセージサーバ２に送信する。その後、位置指定メッセージサーバ２から携帯端末３への現在位置の要求は定期的に行われる（図８ステップＳ２３〜Ｓ２７）。
位置指定メッセージサーバ２のメッセージ管理部２１は宛先の携帯端末３から送られてくる位置情報と、携帯端末１から送信されたメッセージに付加されていた位置情報とが一致し、宛先の携帯端末３が指定された位置に到着したことを確認すると（図８ステップＳ２６，２７）、携帯端末３に対して直ちにメッセージ蓄積部２３内のメッセージを送信する（図８ステップＳ２８）。携帯端末３は位置指定メッセージサーバ２からのメッセージをメッセージ受信部３３によって取得してメモリ３４に保持し、図示せぬ表示部に表示する。
このように、本実施形態では、送信元の携帯端末１がメッセージ送信時にその場で位置測位を行い、送信するメッセージに位置情報を自動的に付加することができるため、メッセージが受信される位置を、そのメッセージを送信した位置に設定することができる。
また、本実施形態では、送信元の携帯端末１がメッセージ送信時に受信される位置を指定し、送信先の位置をメールに付加することができるため、送信するメッセージが受信される位置の指定を行うことができる。
（第２の実施形態）
図９は本発明の第２の実施形態によるメッセージ送受信システムの構成を示すブロック図である。図９において、本発明の第２の実施形態によるメッセージ送受信システムは、メッセージを自動的に選択することができ、また宛先アドレスが自動的に送信者になるという特徴を持つ。この場合、携帯端末１は現在位置の測位要求を受ける位置測位部１１と、メッセージを自動作成する自動メッセージ作成部１７と、自動メッセージ作成部１７で作成されたメッセージとメッセージ受信部１９で受信されたメッセージとを保持するメモリ１５と、メモリ１５に保持されたメッセージを位置指定メッセージサーバ２に送信するメッセージ送信部１４と、位置指定メッセージサーバ２に位置測位部１１からの位置情報を送信する位置情報送信部１８と、位置指定メッセージサーバ２から送られてくるメッセージを受信するメッセージ受信部１９と、携帯端末１の処理を実現するコンピュータ（図示せず）上で動作するプログラムを記録する記録媒体１６とから構成され１ている。尚、位置指定メッセージサーバ２の構成は図２に示す本発明の第１の実施形態における位置指定メッセージサーバ２と同様の構成となっている。
携帯端末１の自動メッセージ作成部１７は予め登録されかつ後ほど自端末で受取りたいメッセージの内容をリスト表示し、使用者に受取りたいメッセージの選択を促す。使用者がそのリストから後ほど自端末で受取りたいメッセージ選択すると、自動メッセージ作成部１７は選択されたメッセージの自動作成を行い、宛先アドレスをメッセージの作成者［携帯端末１の保有者］に自動的に設定し、位置測位部１１を起動し、現在位置の位置測位を行う。
位置測位部１１は携帯端末１が現在いる位置の情報を取得すると、自動メッセージ作成部１７に位置情報を送る。自動メッセージ作成部１７は位置情報を受取ると、自動的に位置情報をメッセージに付加し、そのメッセージをメール送信部１４から位置指定メッセージサーバ２に送信する。
携帯端末１を保有する使用者がメッセージ送信を行った位置“ａ”から離れ、位置“ｂ”に移動し、その後、位置“ａ”に戻ると、携帯端末１では位置指定メッセージサーバ２から、先ほど送ったメールをメッセージ受信部１９で受信することになる。この場合、携帯端末１が位置“ａ”に戻ったことは位置指定メッセージサーバ２の位置要求部２２が携帯端末１の位置情報送信部１８に現在位置の要求を行うことで、上記の本発明の第１の実施形態と同様にして、位置指定メッセージサーバ２が知ることができる。
これによって、本実施形態では、リストから選択した情報を基に自動メッセージ作成部１７で作成されたメッセージをその送信位置に戻ってから受取るという、リマインダサービスにおけるメッセージ送信機能を実現することができる。
図１０は本発明の第２の実施形態によるメッセージ送受信システムの具体的なシステム構成例を示すブロック図である。図１０において、携帯端末１は基地局Ｄ１が管理するサービスエリアＥ１内の位置“ａ”から基地局Ｄ２が管理するサービスエリアＥ２内の位置ｂに移動し、再度サービスエリアＥ１内の位置“ａ”に戻る様子を示している。
図１１は本発明の第２の実施形態による位置指定メッセージの送信手順を示すフローチャートである。これら図９〜図１１を参照して本発明の第２の実施形態による位置指定メッセージの作成及び送信の動作について説明する。尚、図１１に示す処理は携帯端末１のコンピュータが記録媒体１６のプログラムを実行することで実現される。
携帯端末１の自動メッセージ作成部１７は予め登録されかつ後ほど自端末で受取りたいメッセージの内容をリスト表示し（図１１ステップＳ３１）、使用者に受取りたいメッセージの選択を促す。自動メッセージ作成部１７は使用者がそのリストから後ほど自端末で受取りたいメッセージを選択すると（図１１ステップＳ３２）、メッセージの自動作成を行い（図１１ステップＳ３３）、宛先アドレスをメッセージの作成者［携帯端末１の保有者］に自動的に設定し、位置測位部１１を起動し、現在位置の位置測位を行う（図１１ステップＳ３４）。
位置測位部１１は携帯端末１が現在いる位置の情報を取得すると、自動メッセージ作成部１７に位置情報を送る。自動メッセージ作成部１７は位置情報を受取ると、自動的に位置情報をメッセージに付加し（図１１ステップＳ３５）、そのメッセージをメモリ１５に保持する。メッセージ送信部１４はメモリ１５に保持されたメッセージを位置指定メッセージサーバ２に送信する（図１１ステップＳ３６）。尚、位置指定メッセージサーバ２の動作は上記の図８に示す本発明の第１の実施形態と同様の動作で行われるので、その説明は省略する。
このように、本実施形態では、送信元の携帯端末１が自端末で受取りたいメッセージの送信時にその場で位置測位を行い、送信するメッセージに位置情報を自動的に付加することができるため、メッセージを後で受信したい位置を、そのメッセージを送信した位置に設定することができる。これによって、図１０に示す様に、携帯端末１が基地局Ｄ１のサービスエリアＥ１内の位置“ａ”から基地局Ｄ２のサービスエリアＥ２内の位置ｂに移動し、再度サービスエリアＥ１内の位置“ａ”に戻る場合でも、確実に自端末宛てのメッセージを指定した位置“ａ”で受信することができる。位置指定メッセージサーバが位置測位の要求を開始するタイミングについては、位置指定メッセージサーバがメッセージを受信した後、携帯端末（Ａ）が一度サービスエリアＥ１の外に出た後に位置測位を要求するように設定することが可能である。また、位置指定メッセージサーバがメッセージを受信してから予め定められた所定時間経過後に位置測位を要求するように設定することも可能である。
（第３の実施形態）
図１２は本発明の第３の実施形態によるメッセージ送受信システムの構成を示すブロック図である。図１２において、本発明の第３の実施形態によるメッセージ送受信システムは、宛先アドレスが一つでも、位置情報を利用することで、同一の宛先アドレスで示される複数の装置のうちの一つに送信メッセージを振り分けることができるという特徴を持つ。
携帯端末５においてはメッセージ作成部５２で宛先アドレスＦを指定したメッセージが作成されると、位置情報付加部５１から送信する位置の要求が行われる。宛先アドレスＦの装置が固定位置ｃにあるＰＣ（パーソナルコンピュータ）６または位置ｄにいるモバイル端末７の場合、送信位置として固定位置ｃまたは位置ｄを指定することで、宛先アドレスＦが指定されたメッセージをＰＣ６またはモバイル端末７に振り分けて送信することができる。ここで、ＰＣ６及びモバイル端末７は同一の宛先アドレスＦで電子メールの送受信、Ｗｅｂの閲覧を行うように設定しているものとする。
したがって、送信位置として固定位置ｃまたは位置ｄが指定されると、位置情報付加部５１はその指定された位置情報（固定位置ｃまたは位置ｄ）をメッセージに付加し、そのメッセージをメモリ５４に保持する。メッセージ送信部５３はメモリ５４に保持されたメッセージを位置指定メッセージサーバ２に送信する。
位置指定メッセージサーバ２はメッセージに付加された位置情報とメッセージの宛先アドレスとを抽出し、メッセージと位置情報とをメッセージ蓄積部２３に蓄積するとともに、宛先アドレスＦで指定されたＰＣ６またはモバイル端末７の位置情報を取得する。この場合、ＰＣ６は固定位置ｃに配置されているため、予めその位置情報を得ておくことができるが、モバイル端末７に対しては位置要求部２２から現在位置の要求を行うこととなる。
モバイル端末７の位置返信部７２は位置要求部２２から現在位置の要求が送られてくると、位置測位部７１による測位を開始し、位置測位部７１で得られた位置情報を位置指定メッセージサーバ２に送信する。
位置指定メッセージサーバ２はメッセージから抽出した位置情報とＰＣ６の位置情報及びモバイル端末７の位置返信部７２から送られてきた位置情報とを比較し、メッセージから抽出した位置情報とＰＣ６の位置情報とが一致した場合、固定位置ｃにあるＰＣ６に対してメッセージを配信し、ＰＣ６のメッセージ受信部６１がそのメッセージを受信してメモリ６２に保持し、図示せぬ表示部への表示等を行う。
また、位置指定メッセージサーバ２は抽出した位置情報とモバイル端末７の位置返信部７１から戻ってきた位置情報とが一致した場合、位置ｄにあるモバイル端末７に対してメッセージを配信し、モバイル端末７のメッセージ受信部７３がそのメッセージを受信してメモリ７２に保持し、図示せぬ表示部への表示等を行う。
すなわち、ＰＣ６及びモバイル端末７は同一のサービスプロバイダ（ＩＳＰ：Ｉｎｔｅｒｎｅｔ  Ｓｅｒｖｉｃｅ  Ｐｒｏｖｉｄｅｒ）に接続して電子メールを受取るようになっているので、位置指定メッセージサーバ２をサービスプロバイダ内のメールサーバ（図示せず）に併設するか、あるいはメールサーバ内に設けることで、位置指定メッセージサーバ２は抽出した位置情報とＰＣ６の位置情報とが一致した場合にＰＣ６に対してメッセージの取得を許可し、抽出した位置情報とモバイル端末７の位置返信部７１から戻ってきた位置情報とが一致した場合にモバイル端末７に対してメッセージの取得を許可するように動作することができる。
上記の動作によって、本実施形態では、メッセージの宛先アドレスが一つ（宛先アドレスＦのみ）でも、位置の異なる複数の装置、例えば固定位置ｃのＰＣ６及び位置ｄのモバイル端末７のうちの一方にメッセージを振り分けて配信する機能が実現されることとなる。
図１３は本発明の第３の実施形態によるメッセージ送受信システムの具体的なシステム構成例を示すブロック図である。図１３において、携帯端末５及びモバイル端末７はそれぞれ基地局Ｄ１，Ｄ２が管理するサービスエリア（セル）Ｅ１，Ｅ２内で通信可能状態にあり、位置指定メッセージサーバ２はサービスプロバイダ（ＩＳＰ）２００内に配設され、ネットワーク１００と基地局制御装置Ｃ１，Ｃ２と基地局Ｄ１，Ｄ２とを介して携帯端末５及びモバイル端末７に接続可能となっている。また、ネットワーク１００にはＰＣ６が接続されている。
図１４は本発明の第３の実施形態による位置指定メッセージの送信手順を示すフローチャートであり、図１５は本発明の第３の実施形態による位置指定メッセージサーバ２の動作を示すフローチャートである。これら図１２〜図１５を参照して本発明の第３の実施形態による位置指定メッセージの作成及び送信の動作と、位置指定メッセージサーバ２の動作とについてそれぞれ説明する。尚、図１４に示す処理は携帯端末５のコンピュータが記録媒体５５のプログラムを実行することで実現され、図１５に示す処理は位置指定メッセージサーバ２のコンピュータが記録媒体２４のプログラムを実行することで実現される。
携帯端末５においてはメッセージ作成部５２で宛先アドレスＦを指定したメッセージが作成されると（図１４ステップＳ４１）、位置情報付加部５１から送信する位置の要求が行われる。送信位置として位置ｃまたは位置ｄが指定されると（図１４ステップＳ４２）、位置情報付加部５１はその位置情報をメッセージに付加し（図１４ステップＳ４３）、そのメッセージをメモリ５４に保持する。メッセージ送信部５３はメモリ５４に保持されたメッセージを位置指定メッセージサーバ２に送信する（図１４ステップＳ４４）。
位置指定メッセージサーバ２のメッセージ管理部２１は携帯端末５から位置情報が付加されたメッセージを受信すると、そのメッセージから宛先アドレス及び位置情報を抜出して位置要求部２２に渡すとともに（図１５ステップＳ５１）、そのメッセージを位置情報とともにメッセージ蓄積部２３に蓄積する（図１５ステップＳ５２）。
位置指定メッセージサーバ２は宛先アドレスＦで指定されたＰＣ６またはモバイル端末７の位置情報を取得する（図１５ステップＳ５３）。この場合、ＰＣ６は固定位置ｃに配置されているため、予めその位置情報を得ておくことができるが、モバイル端末７に対しては位置要求部２２から現在位置の要求を行うことととなる。
モバイル端末７の位置返信部７２は位置要求部２２から現在位置の要求が送られてくると、位置測位部７１による測位を開始し、位置測位部７１で得られた位置情報を位置指定メッセージサーバ２に送信する。
位置指定メッセージサーバ２はメッセージから抽出した位置情報とＰＣ６の位置情報及びモバイル端末７の位置返信部７２から送られてきた位置情報とを比較し、メッセージから抽出した位置情報とＰＣ６の位置情報とが一致した場合（図１４ステップＳ５４，Ｓ５５）、固定位置ｃにあるＰＣ６に対してメッセージを配信し（図１５ステップＳ５６）、ＰＣ６のメッセージ受信部６１がそのメッセージを受信してメモリ６２に保持し、図示せぬ表示部への表示等を行う。
また、位置指定メッセージサーバ２は抽出した位置情報とモバイル端末７の位置返信部７１から戻ってきた位置情報とが一致した場合（図１５ステップＳ５４，Ｓ５５）、位置ｄにあるモバイル端末７に対してメッセージを配信し（図１５ステップＳ５７）、モバイル端末７のメッセージ受信部７３がそのメッセージを受信してメモリ７２に保持し、図示せぬ表示部への表示等を行う。
ここで、ＰＣ６及びモバイル端末７は同一の宛先アドレスＦで電子メールの送受信、Ｗｅｂの閲覧を行うように設定しているものとすると、ＰＣ６及びモバイル端末７は同一のサービスプロバイダ２００に接続して電子メールを受取るので、位置指定メッセージサーバ２をサービスプロバイダ２００内のメールサーバに併設するか、あるいはメールサーバ内に設けることで、位置指定メッセージサーバ２は抽出した位置情報とＰＣ６の位置情報とが一致した場合にＰＣ６に対してメッセージの取得を許可し、抽出した位置情報とモバイル端末７の位置返信部７１から戻ってきた位置情報とが一致した場合にモバイル端末７に対してメッセージの取得を許可するように動作することができる。
上記の動作によって、本実施形態では、メッセージの宛先アドレスが一つ（宛先アドレスＦのみ）でも、位置の異なる複数の装置、固定位置ｃのＰＣ６及び位置ｄのモバイル端末７のうちの一方にメッセージを振り分けて配信する機能が実現されることとなる。
このように、本実施形態では、メッセージ送信時に宛先アドレス以外に装置の所在する位置を指定して送信することができるため、送信するメッセージの宛先アドレスが一つでも、複数の機器にメッセージを振り分けて送信することができる。
（第４の実施形態）
図１６は本発明の第４の実施形態によるメッセージ送受信システムの構成を示すブロック図である。図１６において、本発明の第４の実施形態によるメッセージ送受信システムは、上記の本発明の第３の実施形態によるメッセージ送受信システムと同様に、宛先アドレスが一つでも、位置情報を利用することで、送信メッセージを複数の装置のうちの一つに振り分けることができるという特徴を持つ。
携帯端末５においては、まず位置測位部５５を用いて位置測位を開始し、携帯端末５の現在位置の情報を取得し、送信するメッセージの振り分けを希望する場合、現在位置から送信するメッセージをＰＣ６，８のいずれに振り分けるかを指定するためのメッセージ振り分け情報を作成し、位置指定メッセージサーバ２に送信する。
位置指定メッセージサーバ２のメッセージ管理部２１は携帯端末５からのメッセージ振り分け情報を受取ると、そのメッセージ振り分け情報を基にメッセージ振り分けリストを作成し、メッセージ蓄積部２３内のメッセージ管理テーブルに登録する。この場合、メッセージ管理部２１は携帯端末５からのメッセージ振り分け情報に対応するメッセージ管理テーブルがなければ、新たにメッセージ管理テーブルを生成し、上記と同様にして、メッセージ振り分けリストをそのメッセージ管理テーブルに登録する。
携帯端末５においてはメッセージ作成部５２で宛先アドレスＦを指定したメッセージが作成されると、位置情報付加部５１は位置測位部５５を用いて位置測位を開始し、携帯端末５の現在位置の情報を取得する。この位置測位部５５は上述した位置測位部１１と同様の方法にて位置情報を測位する。位置情報付加部５１は位置測位部５５によって取得した位置情報をメッセージ作成部５２で作成されたメッセージに付加する。この位置情報が付加されたメッセージは、携帯端末５のメッセージ送信部５３によって位置指定メッセージサーバ２に送信される。
位置指定メッセージサーバ２はメッセージに付加された位置情報とメッセージの宛先アドレスとを抽出し、メッセージ振り分けリストを参照してメッセージの配信先（ＰＣ６，８のいずれか）を決定し、決定したＰＣ６，８に携帯端末５からのメッセージを配信し、ＰＣ６，８のメッセージ受信部６１，８１がそのメッセージを受信する。ここで、ＰＣ６，８は同一の宛先アドレスＦで電子メールの送受信、Ｗｅｂの閲覧を行うように設定しているものとする。
すなわち、ＰＣ６，８は同一のサービスプロバイダに接続して電子メールを受取るようになっているので、位置指定メッセージサーバ２をサービスプロバイダ内のメールサーバに併設するか、あるいはメールサーバ内に設けることで、位置指定メッセージサーバ２はメッセージ振り分けリストに基づいて決定したＰＣ６，８に対してメッセージの取得を許可するように動作する。
上記の動作によって、本実施形態では、メッセージの宛先アドレスが一つ（宛先アドレスＦのみ）でも、位置の異なる複数の装置、例えば異なる固定位置にそれぞれ配置されたＰＣ６，８のうちの一方にメッセージを振り分けて配信する機能が実現されることとなる。尚、本発明の第４の実施形態によるメッセージ送受信システムの具体的なシステム構成は、モバイル端末７の代わりにＰＣ８を設置した以外は、図１３に示す本発明の第３の実施形態によるメッセージ送受信システムの具体的なシステム構成例とほぼ同じなので、その説明については省略する。
図１７（ａ）は本発明の第４の実施形態によるメッセージ振り分けリストの一例を示す図であり、図１７（ｂ）は本発明の第４の実施形態によるメッセージ管理テーブルの一例を示す図である。図１７（ａ）において、メッセージ振り分けリストはリスト名（Ｌｉｓｔ）「ａａａ＠ａａａ．ａａａ．ａａａ．ｌｉｓｔ」と、宛先アドレス（Ｔｏ）「ａａａ＠ａａａ．ａａａ．ａａａ」と、位置設定情報「位置Ａ＝Ｎ３５．３５．２６．４７  Ｅ１３９．３５．２５．２４」とからなる。
また、図１７（ｂ）において、メッセージ管理テーブルは宛先アドレス（Ｔｏ）「ａａａ＠ａａａ．ａａａ．ａａａ」と、送信元アドレス（Ｆｒｏｍ）「ａｂｅ＠ｄｄｄ．ｄｄｄ．ｄｄｄ」と、メッセージ振り分けリスト名「ａａａ＠ａａａ．ａａａ．ａａａ．ｌｉｓｔ」と、送信位置，有効範囲「位置Ａ」，「２１６−８５５５＆４，５０ｍ」と、メッセージ本体とからなる。メッセージ本体には、図７（ｃ）に示すファイル名「ｆｉｌｅ２００２Ｍａｒ２５１０３０１５＿１．ｍａｉｌ」，「ｆｉｌｅ２００２Ｍａｒ２５１０３５１２＿１．ｍａｉｌ」，「ｆｉｌｅ２００２Ｍａｒ２５１０３８１８＿１．ｍａｉｌ」が格納されている。
図１８は本発明の第４の実施形態によるメッセージ振り分けリストの登録手順を示すフローチャートであり、図１９は本発明の第４の実施形態による位置指定メッセージの送信手順を示すフローチャートであり、図２０は本発明の第４の実施形態による位置指定メッセージサーバ２の動作を示すフローチャートである。これら図１６〜図１９を参照して本発明の第４の実施形態によるメッセージ振り分けリストの登録手順と、位置指定メッセージの作成及び送信の動作と、位置指定メッセージサーバ２の動作とについてそれぞれ説明する。尚、図１９に示す処理は携帯端末５のコンピュータが記録媒体５５のプログラムを実行することで実現され、図１８及び図２０に示す処理は位置指定メッセージサーバ２のコンピュータが記録媒体２４のプログラムを実行することで実現される。
携帯端末５においては、まず位置測位部５６を用いて位置測位を開始し、携帯端末５の現在位置の情報を取得し、送信するメッセージの振り分けを希望する場合、現在位置から送信するメッセージをＰＣ６，８のいずれに振り分けるかを指定するためのメッセージ振り分け情報を作成し、位置指定メッセージサーバ２に送信する。
位置指定メッセージサーバ２のメッセージ管理部２１は携帯端末５からのメッセージ振り分け情報を受取ると、そのメッセージ振り分け情報に対応するメッセージ管理テーブルがあれば（図１８ステップＳ６１）、メッセージ振り分け情報を基にメッセージ振り分けリストを作成し（図１８ステップＳ６３）、メッセージ蓄積部２３内のメッセージ管理テーブルに登録する（図１８ステップＳ６４）。
この場合、メッセージ管理部２１は携帯端末５からのメッセージ振り分け情報に対応するメッセージ管理テーブルがなければ（図１８ステップＳ６１）、新たにメッセージ管理テーブルを生成し（図１８ステップＳ６２）、上記と同様にして、メッセージ振り分けリストをそのメッセージ管理テーブルに登録する（図２７ステップＳ６３，Ｓ６４）。
携帯端末５においてはメッセージ作成部５２で宛先アドレスＦを指定したメッセージが作成されると（図１９ステップＳ７１）、位置情報付加部５１は位置測位部５６を用いて位置測位を開始し（図１９ステップＳ７２）、携帯端末５の現在位置の情報を取得する。この位置測位部５６は上述した位置測位部１１と同様の方法にて位置情報を測位する。位置情報付加部５１は位置測位部５６によって取得した位置情報を、メッセージ作成部５２で作成されたメッセージに付加する（図１９ステップＳ７３）。この位置情報が付加されたメッセージはメモリ５４に保持され、メモリ５４に保持されたメッセージがメッセージ送信部５３から位置指定メッセージサーバ２に送信される（図１９ステップＳ７４）。
位置指定メッセージサーバ２のメッセージ管理部２１は携帯端末５から位置情報が付加されたメッセージを受信すると、そのメッセージから宛先アドレス及び位置情報を抜出し（図２０ステップＳ８１）、そのメッセージを位置情報とともにメッセージ蓄積部２３に蓄積する（図２０ステップＳ８２）。
その後に、メッセージ管理部２１はメッセージ振り分けリストを参照してメッセージの配信先（ＰＣ６，８のいずれか）を決定し（図２０ステップＳ８３）、決定したＰＣ６，８に携帯端末５からのメッセージを配信し（図２０ステップＳ８４，Ｓ８５）、ＰＣ６，８のメッセージ受信部６１，８１がそのメッセージを受信してメモリ６２，８２に保持し、図示せぬ表示部への表示等を行う。ここで、ＰＣ６，８は同一の宛先アドレスＦで電子メールの送受信、Ｗｅｂの閲覧を行うように設定しているものとする。
すなわち、ＰＣ６，８は同一のサービスプロバイダに接続して電子メールを受取るようになっているので、位置指定メッセージサーバ２をサービスプロバイダ内のメールサーバに併設するか、あるいはメールサーバ内に設けることで、位置指定メッセージサーバ２はメッセージ振り分けリストに基づいて決定したＰＣ６，８に対してメッセージの取得を許可するように動作する。
上記の動作によって、本実施形態では、メッセージの宛先アドレスが一つ（宛先アドレスＦのみ）でも、位置の異なる複数の装置、例えば異なる固定位置にそれぞれ配置されたＰＣ６，８のうちの一方にメッセージを振り分けて配信する機能が実現されることとなる。
このように、本実施形態では、メッセージ送信時に宛先アドレス以外に装置の所在する位置を指定して送信することができるため、送信するメッセージの宛先アドレスが一つでも、複数の機器にメッセージを振り分けて送信することができる。
（第５の実施形態）
図２１は本発明の第５の実施形態によるメッセージ送受信システムの構成を示すブロック図である。図２１において、本発明の第５の実施形態によるメッセージ送受信システムは、端末でのメッセージ作成時に位置情報の付加を意識せず、サーバがメッセージ受信後に端末の位置測位を行い、位置情報を付加するという特徴を持つ。ここで、携帯端末１は位置測位部１１と、メッセージ作成部１３と、メッセージ送信部１４と、メモリ１５と、記録媒体１６と、位置情報送信部１８とから構成され、位置指定メッセージサーバ２はメッセージ管理部２１と、メッセージ蓄積部２３と、位置付加部２６とから構成されている。
携帯端末１はメッセージ作成部１３によってメッセージの作成が行われると、作成したメッセージはメモリ１５に保持され、メッセージ送信部１４から位置指定メッセージサーバ２に送信される。位置指定メッセージサーバ２のメッセージ管理部２１は携帯端末１からのメッセージを受信すると、そのメッセージをメッセージ蓄積部２３に蓄積するとともに、位置付加指定があればそのメッセージを位置付加部２５に通知する。位置付加部２５はメッセージが通知されると、携帯端末１に対して所在位置の要求を行う。
携帯端末１の位置情報送信部１８は所在位置の要求を受けると、位置測位部１１を起動し、自端末の位置の測位を行う。位置測位部１１は自端末の位置の測位を完了すると、その位置情報を位置情報送信部１８に通知し、位置情報送信部１８はその位置情報を位置指定メッセージサーバ２の位置付加部２５へ送信する。位置情報送信部１８による位置情報の送信動作は、上述した携帯端末３の位置情報送信部３２の動作と同様である。
位置指定メッセージサーバ２は位置情報を受信すると、その位置情報を先ほど受取ったメッセージに付加し、メッセージ蓄積部２３に保管する。位置指定メッセージサーバ２は基地局制御装置に対して宛先の携帯端末３の所在エリアの問い合わせを行い、上記の位置情報が示すエリアである基地局のサービスエリア内に携帯端末３が到着すると、メッセージ蓄積部２３に保管したメッセージを携帯端末３に送信する。これによって、携帯端末３は位置指定されたメッセージを受信することができる。
図２２は本発明の第５の実施形態による位置指定メッセージの送信手順を示すフローチャートであり、図２３は本発明の第５の実施形態による位置指定メッセージサーバ２の動作を示すフローチャートである。これら図２１〜図２３を参照して本発明の第５の実施形態による位置指定メッセージの作成及び送信の動作位置指定メッセージサーバ２の動作についてそれぞれ説明する。
尚、図２３に示す処理は位置指定メッセージサーバ２のコンピュータが記録媒体２４のプログラムを実行することで実現される。また、本発明の第５の実施形態によるメッセージ送受信システムの具体的なシステム構成は、図３に示す本発明の第１の実施形態によるメッセージ送受信システムの具体的なシステム構成例とほぼ同じなので、その説明については省略する。
携帯端末１はメッセージ作成部１３によってメッセージの作成が行われると（図２２ステップＳ９１）、そのメッセージに位置情報を付加するのであれば（図２２ステップＳ９２）、そのメッセージにおいて位置情報の付加を指定し（図２２ステップＳ９３）、メッセージ送信部１４から位置指定メッセージサーバ２へ送信する（図２２ステップＳ９４）。
位置指定メッセージサーバ２のメッセージ管理部２１は、携帯端末１からのメッセージを受信すると、そのメッセージに位置情報付加の指定があれば（図２３ステップＳ１０１）、そのメッセージを位置付加部２５に通知する。位置付加部２５はメッセージが通知されると、携帯端末１に対して所在位置の要求を行う（図２３ステップＳ１０２）。
携帯端末１の位置情報送信部１８は所在位置の要求を受けると、位置測位部１１を起動し、自端末の位置の測位を行う。位置測位部１１は自端末の位置の測位を完了すると、その位置情報を位置情報送信部１８に通知し、位置情報送信部１８はその位置情報を位置指定メッセージサーバ２の位置付加部２５へ送信する。
位置指定メッセージサーバ２は位置情報を受信すると（図２３ステップＳ１０３）、その位置情報を先ほど受取ったメッセージに付加し（図２３ステップＳ１０４）、メッセージ蓄積部２３に保管する（図２３ステップＳ１０５）。位置指定メッセージサーバ２のメッセージ管理部２１はそのメッセージから宛先アドレスを抽出し（図２３ステップＳ１０６）、その宛先アドレスの携帯端末３の所在位置を監視し、基地局制御装置に対して宛先の携帯端末３の所在エリアの問い合わせを行い（図２３ステップＳ１０７）、上記の位置情報を含むエリアである基地局のサービスエリア内に携帯端末３が到着すると（図２３ステップＳ１０８）、携帯端末３の所在位置の要求を行う（図２３ステップＳ１０９）。
位置指定メッセージサーバ２は携帯端末３が指定位置にくると（図２３ステップＳ１１０，Ｓ１１１）、メッセージ蓄積部２３に保管したメッセージを携帯端末３に送信する（図２３ステップＳ１１２）。これによって、携帯端末３は位置指定されたメッセージを受信することができる。
このように、本実施形態では、メッセージを受信したサーバが送信元の端末の位置の要求を行い、メッセージにその位置情報を付加するため、メッセージが受信される位置を現位置に指定する場合、メッセージに位置情報を付加して送信することなく、設定を行うことができる。
図２４は本発明の第６の実施形態によるメッセージ送受信システムの構成を示すブロック図である。図２４において、本発明の第６の実施形態によるメッセージ送受信システムは、携帯端末で位置測位を行う機能を保有していなくても、上記の本発明の第５の実施形態と同等の機能を実現することができるという特徴を持つ。
図２５は本発明の第６の実施形態による位置指定メッセージサーバ２の動作を示すフローチャートである。これら図２４及び図２５を参照して本発明の第６の実施形態による位置指定メッセージサーバ２の動作とについてそれぞれ説明する。尚、図２５に示す処理は位置指定メッセージサーバ２のコンピュータが記録媒体２４のプログラムを実行することで実現される。また、本発明の第６の実施形態によるメッセージ送受信システムの具体的なシステム構成は、図３に示す本発明の第１の実施形態によるメッセージ送受信システムの具体的なシステム構成例とほぼ同じなので、その説明については省略する。
携帯端末１による位置指定メッセージの作成及び送信の動作は上記の図２２に示す本発明の第５の実施形態による位置指定メッセージの作成及び送信の動作と同様である。すなわち、携帯端末１はメッセージ作成部１３にて送信メッセージを作成し、そのメッセージに位置情報を付加するのであれば、そのメッセージにおいて位置情報の付加を指定し、そのメッセージをメッセージ送信部１４によって位置指定メッセージサーバ２に送信する。
位置指定メッセージサーバ２のメッセージ管理部２１は携帯端末１からのメッセージを受信すると、そのメッセージに位置情報付加の指定があれば（図２５ステップＳ１２１）、位置付加部２５に通知を行い、位置付加部２５はメールを送信した時の携帯端末１の所在した基地局のサービスエリアを参照し、この基地局のサービスエリアを特定する情報（例えば、基地局の緯度経度の情報及びその有効範囲）そのものを位置情報とし（図２５ステップＳ１２２，１２３）、その位置情報をメッセージに付加するととも（図２５ステップＳ１２４）、メッセージから宛先アドレスを抽出し（図２５ステップＳ１２５）、メッセージと位置情報とをメッセージ蓄積部２３に蓄積する（図２５ステップＳ１２６）。
位置指定メッセージサーバ２は基地局制御装置に対して宛先の携帯端末３の所在エリアの問い合わせを行い、携帯端末３の所在する基地局のサービスエリアを定期的に確認する（図２５ステップＳ１２７，Ｓ１２８）。位置指定メッセージサーバ２は携帯端末３が携帯端末１がメッセージを送った時と同じサービスエリアに所在するのを確認すると（図２５ステップＳ１２８）、メッセージ蓄積部２３から該当するメッセージを取出し、携帯端末３に送信する（図２５ステップＳ１２９）。
これによって、本実施形態では、携帯端末側において測位機能を保有する必要がなくなるので、簡易に位置指定メッセージを送受信するメッセージ送受信システムの構築が可能となる。
このように、本実施形態では、メッセージを受信したサーバが送信元の端末の位置の要求を行い、メッセージにその位置情報を付加するため、メッセージが受信される位置を現位置に指定する場合、メッセージに位置情報を付加して送信することなく、設定を行うことができる。
近年、携帯電話やＰＤＡ（Ｐｅｒｓｏｎａｌ  Ｄｉｇｉｔａｌ  Ａｓｓｉｓｔａｎｔ）等においては、電子メールの送受信やＷｅｂ閲覧が可能となる等、機能の向上が図られているが、それに反して、これらの機器端末では小型化、軽量化も図らなければならない。しかしながら、小型化、軽量化を図ると、これらの機器端末に搭載されるメモリの容量に制約を受けることとなる。
この制約下で、本発明のように、メッセージに位置情報を付加すると、上記の機器端末に蓄積可能なメッセージ数の減少を招くこととなるが、本発明ではこれらの機器端末がメッセージのみを受取ることができるので、上記のような制約下でも、メッセージが受信される位置をそのメッセージを送信した位置に設定することも、また送信するメッセージにおいて受信される位置の指定を行うことも可能となる。
また、上記のメッセージを受取る端末の所在位置を探索する際に、その端末が指定された位置に対応する基地局（中継装置）のエリア内に入ってから、詳細位置の取得動作を行えばよいので、端末自身の制御系に対する負荷を増大させることはなく、基地局（中継装置）のエリアそのものを指定位置とすれば、端末に係る負荷はほとんどなくなる。尚、指定位置については、このように基地局（中継装置）のエリアそのものでも、またピンポイントでも、そのピンポイントから何ｍ以内といった指定でも可能である。
【図１】
2004004402.tif 000003
【図２】
2004004402.tif 000004
【図３】
2004004402.tif 000005
【図４】
2004004402.tif 000006
【図５】
2004004402.tif 000007
【図６】
2004004402.tif 000008
【図７】
2004004402.tif 000009
【図８】
2004004402.tif 000010
【図９】
2004004402.tif 000011
【図１０】
2004004402.tif 000012
【図１１】
2004004402.tif 000013
【図１２】
2004004402.tif 000014
【図１３】
2004004402.tif 000015
【図１４】
2004004402.tif 000016
【図１５】
2004004402.tif 000017
【図１６】
2004004402.tif 000018
【図１７】
2004004402.tif 000019
【図１８】
2004004402.tif 000020
【図１９】
2004004402.tif 000021
【図２０】
2004004402.tif 000022
【図２１】
2004004402.tif 000023
【図２２】
2004004402.tif 000024
【図２３】
2004004402.tif 000025
【図２４】
2004004402.tif 000026
【図２５】
2004004402.tif 000027
【国際調査報告】
2004004402.tif 000028
2004004402.tif 000029
2004004402.tif 000030
2004004402.tif 000031
2004004402.tif 000032
2004004402.tif 000033